(57)【要約】【課題】検収業務を迅速に行なうことができる納品書を印刷することができる納品書印刷装置を提供すること。【解決手段】商品に対応した商品図データを記憶するデータベース１２と、印字する商品の明細を納品書となる複写伝票に印字するとともに、上記記憶手段から読み出した納品書に印字する商品に対応した商品図を印字する印字手段１５，１６とから構成される。【選択図】    図１
2004291593.tif 000002
【特許請求の範囲】
【請求項１】
商品に対応した商品図データを記憶する記憶手段と、
印字する商品の明細を納品書となる複写伝票に印字するとともに、上記記憶手段から読み出した納品書に印字する商品に対応した商品図を印字する印字手段とを具備したことを特徴とする納品書印刷装置。
【請求項２】
上記商品に対応した商品図を印字することを商品毎に選択できることを特徴とする請求項１記載の納品書印刷装置。
【発明の詳細な説明】
【０００１】
【発明の属する技術分野】
本発明は、納品書に商品図を印刷することができる納品書印刷装置に関する。
【０００２】
【従来の技術】
例えば、スーパーマーケットやコンビニエンスストアに商品を納入する際には、商品と共に納入する商品コードや商品名、金額等が文字印刷されている納品書を添付していた。この通常納品書は流通経路で何部か必要であるため複写印刷可能な専用プリンタ（例えば、ドット・インパクトプリンタ）により印刷されていた。なお、インターネットを介して、顧客が指定する画像を印刷した商品を生産販売する受注生産方法が知られている（例えば、特許文献１参照）。この公報のものは、納品書に画像データが添付されている。
【０００３】
【特許文献１】
特開２００２−２５９７５８号公報
【０００４】
【発明が解決しようとする課題】
スーパーマーケットにおいて商品が納入されると納品書と商品とを照らし合わせる検収業務を行なう。納品書に印刷されている商品名を見て具体的商品を即座にイメージできる場合とできない場合がある。特に、検収業務の経験が浅い担当者にとっては、納品書に印刷されている商品名を見て具体的商品が即座にイメージすることができないため、検収業務に費やす時間がかかるという問題点があった。
【０００５】
本発明は上記の点に鑑みてなされたもので、その目的は、検収業務を迅速に行なうことができる納品書を印刷することができる納品書印刷装置を提供することにある。
【０００６】
【課題を解決するための手段】
本発明は、商品に対応した商品図データを記憶する記憶手段と、印字する商品の明細を納品書となる複写伝票に印字するとともに、上記記憶手段から読み出した納品書に印字する商品に対応した商品図を印字する印字手段とを具備した納品書印刷装置である。
【０００７】
【発明の実施の形態】
以下図面を参照して本発明の一実施の形態について説明する。図１は納品書印刷装置の構成を示すブロック図である。図において、１１は本印刷装置全体を制御するための制御部である。この制御部１１には、記憶手段としてのデータベース１２、入力部１３、表示部１４、複写伝票専用プリンタ１５、カラープリンタ１６が接続される。ここで、複写伝票専用プリンタ１５及びカラープリンタ１６により印字手段が構成される。
【０００８】
制御部１１は、図３のフローチャートに示す処理を行なうプログラムを記憶している。
【０００９】
データベース１２には商品毎に商品情報や商品図として商品の画像データが記憶されている。例えば、商品「ラーメン」に対してラーメンの外形を示す画像データが商品コード等に対応して記憶されている。
【００１０】
入力部１３は、テンキー及び各種機能キーにより構成されている。
【００１１】
複写伝票専用プリンタ１５は、納品書として使用する複写伝票に複写印刷可能な例えばドット・インパクトプリンタである。
【００１２】
カラープリンタ１６は、例えばカラーインクジェットプリンタである。
【００１３】
次に、上記のように構成された本発明の一実施の形態の動作について説明する。まず、オペレータは商品の画像をデジタルカメラ等で撮像し、データベース１２に商品コード毎に記憶しておく。そして、図１の印刷装置の電源を立ち上げて、表示部１４に業務メニューを表示させ、納品書発行業務を選択すると、図３のフローチャートの処理が開始される。
【００１４】
図２は表示部１４に表示された納品書及び印刷された納品書を共通に説明するための図である。そして、図２に示す納品書が表示部１４に表示されている状態で、オペレータにより入力部１３から入力された明細データは表示部１４の該当する領域に入力される（ステップＳ１）。ここで、明細データとは、納品書に印字される品名、数量、単価等のデータである。
【００１５】
そして、その明細の商品図の印字の有無が選択される（ステップＳ２）。この処理は納品書に印字される商品に対して商品図を印刷するか否かを選択する処理である。例えば、ステップＳ１で入力した商品名のところにカーソルを移動させて特定なキー操作をすることにより、その商品には商品図を印刷するか否かを選択している。
【００１６】
次に、全ての明細データが入力されたかが判定される（ステップＳ３）。このステップＳ３において「ＮＯ」と判定された場合には、前述したステップＳ１、Ｓ２以降の処理が繰り返し行なわれる。
【００１７】
そして、納品書に印刷する明細データの全てが入力されると、ステップＳ３の判定で「ＹＥＳ」と判定される。この結果、複写伝票専用プリンタ１５から図２に示すような納品書（商品図以外の明細データ）が複写伝票に印刷される（ステップＳ４）。
【００１８】
次に、オペレータは、複写伝票専用プリンタ１５から納品書が印刷された複写伝票を取り外して、カラープリンタ１６にセットする。
【００１９】
そして、『商品図を印字する明細があるか』という問い合わせが表示部１４に表示される（ステップＳ５）。この表示に対して実行キーを操作すると、カラープリンタ１６により納品書が印刷された複写伝票上において、商品図を印刷することが選択された商品に対してのみ商品図が例えば摘要欄にカラー印刷される（ステップＳ６）。
【００２０】
つまり、図２に示すように、商品名「ラーメン」の摘要欄にはラーメンの商品図２１がカラー印刷され、商品名「チョコレート」の摘要欄にはチョコレートの商品図２２がカラー印刷される。
【００２１】
このように、納品書に印字される商品に対応して商品図を印刷しておくようにしたので、検収業務の経験が浅い担当者でも、納品書に印刷されている商品名を見て具体的商品が即座にイメージすることができるため、検収業務に費やす時間を短くすることができる。
【００２２】
さらに、納品書に印字する明細に対して商品図を印刷するか否かを選択することができるので、商品図を印刷しなくても商品をイメージできる場合には、商品図を印刷しないので、商品図が不要な場合についても対応させることができる。
【００２３】
なお、上記した実施の形態では、カラープリンタ１６で商品図をカラー印刷するようにしたが、カラーでなくてもモノクロ印刷でも良い。
【００２４】
また、商品図を印刷するカラープリンタ１６を複写伝票を印刷する複写伝票専用プリンタ１５とは別に設けたが、複写伝票専用プリンタ１５で商品図を印刷するようにしても良い。
【００２５】
さらに、図３のフローチャートでは、ステップＳ１の処理で明細データを入力するようにしたが、予めデータベース１２に明細データを記憶されておいても良い。
【００２６】
さらに、商品図として商品の外形をデジタルカメラで撮像しておくようにしたが、デジタルカメラ以外の撮像手段で商品の外形を撮像しても良いし、商品全体の画像データに限らず、商品の特徴を示す一部分の画像データであっても良い。
【００２７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素からいくつかの構成要素を削除してもよい。
【００２８】
【発明の効果】
以上詳述したように本発明によれば、納品書に印字された商品に商品図を印刷しておくようにしたので、検収業務を迅速に行なうことができる納品書印刷装置を提供することができる。
【図面の簡単な説明】
【図１】本発明の一実施の形態に係る納品書印刷装置の構成を示すブロック図。
【図２】同納品書印刷装置により印刷された納品書の印刷例を示す図。
【図３】同実施の形態の動作を説明するためのフローチャート。
【符号の説明】
１１…制御部、１２…データベース、１３…入力部、１４…表示部、１５…複写伝票専用プリンタ。
【図１】
2004291593.tif 000003
【図２】
2004291593.tif 000004
【図３】
2004291593.tif 000005